(57)【要約】【課題】発生する磁力線に指向性を付与した永久磁石製の鳥類忌避体と、これを利用した鳥類忌避装置を提供する。【解決手段】鳥類忌避体は、永久磁石の半球体と、半球体の切断面の中央に接触状態で設けた鋼球と、上記切断面及び鋼球を被覆する樹脂被膜とで構成する。鳥類忌避装置は、複数個の鳥類忌避体と、各鳥類忌避体を連結する線条と、線条を支持する複数の支柱と、各支柱を取り付ける固定板とで構成し、線条に連結した鳥類忌避体を支柱間に架設する。支柱は、上端及び下端にネジ溝を刻設し、上端の直径方向に上記線条が陥入可能な縦溝を設け、上端に線条を挟定する止めナットを螺着する。固定板は、並行する２枚の平面板と、その間に一段高く跨設する支持板とからなり、支持板に上記支柱を螺設する支持孔を穿設し、各平面板に皿孔を設ける。支持板側面を貫通して挿通孔を設ける。【選択図】図１
0003122340.tif 000002
【実用新案登録請求の範囲】
【請求項１】
永久磁石からなる半球体と、この半球体の切断面の中央に突出して接触状態で設けた鋼球と、上記切断面および鋼球を被覆する樹脂被膜とで構成したことを特徴とする鳥類忌避体。
【請求項２】
上記樹脂被膜は、少なくとも上記鋼球に対応する場所が透明若しくは半透明の樹脂被膜である請求項１記載の鳥類忌避体。
【請求項３】
複数個の上記請求項１又は請求項２記載の鳥類忌避体と、それぞれの鳥類忌避体を連結する線条と、線条を支持する複数の支柱と、それぞれの支柱を取り付ける固定板とで構成し、線条に連結した鳥類忌避体を支柱間に架設することを特徴とする鳥類忌避装置。
【請求項４】
上記支柱は、上端および下端にネジ溝を刻設し、上端の直径方向に上記線条が陥入可能な縦溝を設けると共に、上端にこの線条を挟定する止めナットを螺着したものである請求項３記載の鳥類忌避装置。
【請求項５】
上記固定板は、所定の間隔をおいて並行する２枚の平面板と、その間に一段高く跨設する支持板とからなり、支持板に上記支柱を螺設する支持孔を穿設すると共に、各平面板に皿孔を穿設したものである請求項３又は請求項４記載の鳥類忌避装置。
【請求項６】
上記固定板の支持板側面に更に挿通孔を設けた請求項５記載の鳥類忌避装置。
【考案の詳細な説明】
【技術分野】
【０００１】
この考案は、住宅、駅、工場や田畑などに鳩やカラスなどの鳥類が飛来、接近することを回避して、これら鳥類による各種の被害を防止するための鳥類忌避体および鳥類忌避装置の改良に関するもので、発生する磁力線に指向性を付与した永久磁石製の鳥類忌避体と、これを利用した鳥類忌避装置に関するものである。
【背景技術】
【０００２】
近年、住宅、駅、工場等における鳥類の営巣や糞便の害が問題となっている。鳥の糞便は、屋根やベランダを汚損するほか、各種病原菌を媒介したり、乾燥した糞便の微粉末が飛散して呼吸器疾患の要因ともなっている。また、鳥類による作物の食害なども被害が大きい。そのため、鳥類の接近を回避し、種々の害を防止するため、各種の鳥類飛来防止装置が提案されている。
【０００３】
そのうち、体内に生物磁石（マグネタイト）を持つ鳥類が微弱な地磁気の変動にも敏感に反応する性質を利用し、局所的に異常変動磁場を形成することにより、鳥類の飛来を防止するようにした装置が知られている。例えば、本出願人も、特許文献１に示すように、支柱を介して張設した糸条に一定間隔で多数の永久磁石を支持させ、これを鳥類の飛来場所に設置するようにした装置を開発している。この種の装置は、永久磁石が形成する磁場によって、鳥類を忌避しようとするものである。
【０００４】
【特許文献１】実用新案登録第２５５８０１１号公報
【考案の開示】
【考案が解決しようとする課題】
【０００５】
しかし、これらの忌避装置の多くは、球状乃至円盤状の永久磁石を糸条に適宜間隔で支持させるものであるので、形成される磁場は永久磁石を中心とした同心円上に形成される。そのため、広い範囲に変動磁場を形成するためには、強力な磁束密度を有する磁石を密な間隔で支持しなければならなかった。また、永久磁石の外観については、何ら工夫がされていなかった。
【０００６】
本考案では、これら従来技術における課題を解決しようとするもので、磁石から生じる磁力線に指向性を持たせ、上空から飛来する鳥に特に効果を発揮するようにすると共に、外観を目玉様として、鳥を視覚的に威嚇するように工夫したものである。
【課題を解決するための手段】
【０００７】
上述した目的を達成するために、本考案は、鳥類忌避体を、永久磁石からなる半球体と、この半球体の切断面の中央に突出して接触状態で設けた鋼球と、上記切断面および鋼球を被覆する樹脂被膜とで構成するという手段を採用した。
【０００８】
そして、上記樹脂被膜は、少なくとも上記鋼球に対応する場所が透明若しくは半透明の樹脂被膜であるという手段を採用した。
【０００９】
また、鳥類忌避装置としては、複数個の上記鳥類忌避体と、それぞれの鳥類忌避体を連結する線条と、線条を支持する複数の支柱と、それぞれの支柱を取り付ける固定板とで構成し、線条に連結した鳥類忌避体を支柱間に架設するという手段を採用した。
【００１０】
また、このとき、上記支柱は、上端および下端にネジ溝を刻設し、上端の直径方向に上記線条が陥入可能な縦溝を設けると共に、上端にこの線条を挟定する止めナットを螺着したものであるという手段を採用した。
【００１１】
さらに、上記固定板は、所定の間隔をおいて並行する２枚の平面板と、その間に一段高く跨設する支持板とからなり、支持板に上記支柱を螺設する支持孔を穿設すると共に、各平面板に皿孔を穿設したものであるという手段を採用した。
【００１２】
また。上記固定板の支持板側面に更に挿通孔を設けるという手段を採用した。
【考案の効果】
【００１３】
上記構成の鳥類忌避体は、半球体に取り付けた鋼球が永久磁石により磁化され、その上端部から磁束密度の高い磁力線が集中して放出されることになる。そのため、半球体の上面方向に、鳥類に対する高い忌避効果を得ることができる。また、樹脂被膜が透明又は半透明であるので、鋼球が透けて見えると共に、その金属面に光が反射してその外観が目玉様に観察されるので、視覚的に鳥類を威嚇し、寄りつかないようにすることができる。
【００１４】
また、上記構成の鳥類忌避装置は、上記構成の鳥類忌避体を複数個、支柱間に架設しているので、各鳥類忌避体の周りに異常変動磁場が生じて、広範囲に亘り鳥類が寄りつかなくなる。特に、上述のように、各鳥類忌避体の上面方向に磁力線が集中して放出されるので、上方から飛来してくる鳥類に対する忌避効果が高い。
【００１５】
支柱は、下端が固定板に対してネジ止めにより強固に固定可能である。上端では縦溝に線条を陥入させた上で止めナットにより線条を挟定することができるので、線条に傷を付けることがなく、不用意に線条が切断されることもない。
【００１６】
固定板は、支持孔に上記支柱を螺着して固定する。平面板の下面に接着剤を塗布することで、種々の材質の平面に固定可能である。また、平面板に穿設した皿孔を利用して、ネジ等によって固定することも可能である。更に両者を併用すれば、より強固に平面に固定できる。更に、紐や結束バンドを使用することによって、パイプなどの棒材に対しても簡単に固定できる。このとき、支持板側面に設けた挿通孔に紐や結束バンドを挿通して締め付けることで、紐や結束バンドの位置がずれることがなく固定でき、パイプ等から不用意に脱落することがない。
【考案を実施するための最良の形態】
【００１７】
以下、本考案に係る鳥類忌避体および鳥類忌避装置について、好ましい実施形態を図面について説明する。図１（ａ）は鳥類忌避体の断面図、同図（ｂ）は平面図、同図（ｃ）は斜視図である。鳥類忌避体は、図に示すように、半球体１、鋼球２、樹脂被膜３で構成される。半球体１は、例えばフェライト磁石等の永久磁石からなり、例えば切断面１ａをＮ極、頭頂部１ｂをＳ極（逆でもよい）というように着磁されている。鋼球２は上記半球体１の切断面１ａの中央に突出して接触状態で取り付けられる。この鋼球２は永久磁石の半球体１に密着しているので、永久磁石の影響を受けて鋼球自身で磁気を持つことになり、上端部２ａから磁束密度の高い磁力線が集中して放出されることになる。そのため、特に上面方向に高密度な磁力線が放出され、鳥類に対して高い忌避効果を発揮する。樹脂被膜３は、透明又は半透明の素材で構成され、半球体１の切断面１ａおよび上記鋼球２を被覆して、これらを保護している。そのため、上記鋼球２は長期間にわたり光沢を保つことが可能である。この鳥類忌避体を屋外に設置した場合、樹脂被膜が透明であるので、上記鋼球２が太陽光をよく反射して、鳥類に対する忌避効果が高まるほか、鋼球が切断面の中央に透けて見え、その外観が図１（ｂ）のように目玉様に見えるので、鳥類に対する威嚇効果も期待できる。この鳥類忌避体は、図１（ｃ）のように、鋼球２側を上方に向けて、複数個をナイロンテグスなどで連結して屋根やベランダなどに架設することで、鳥類忌避装置とすることができる。なお、個々の鳥類忌避体をそのまま平坦面に適宜間隔で配設することも可能であり、その場合もほぼ同様の鳥類忌避効果を発揮する。
【００１８】
次に、上記鳥類忌避体を使用した鳥類忌避装置について説明する。図２は、本考案に係る鳥類忌避装置の一部の分解斜視図である。この鳥類忌避装置は、上述した複数の鳥類忌避体１１、１１と、この鳥類忌避体１１をそれぞれ連結するナイロンテグス等からなる線条１２と、この線条１２を支持する複数の支柱１３と、各支柱１３を固定する固定板１４とから構成されている。即ち、固定板１４に支柱１３を取り付け、その固定板１４をベランダや屋根などに所定の間隔をおいて設置する。固定板１４の具体的な設置手段については後述する。次に複数の鳥類忌避体１１を連結した線条１２を上記固定板１４の支柱１３の上端部分に適宜固定して、鳥類忌避体１１を空中に架設すれば鳥類忌避装置が完成する。これにより、各鳥類忌避体１１の周りには異常変動磁場が生じ、鳥類はこれを感じて寄りつかなくなる。特に、各鳥類忌避体１１を、半球体の切断面に鋼球を突出して取り付けた構造としているので、鋼球部分から多くの磁力線が集中して放出され、上面方向の忌避効果が高い。また、鳥類忌避体１１は、空中に架設されるので、風等によって不規則に揺動し、その結果、放出される磁力線も、その方向や大きさが不規則になるので、異常変動磁場を形成しやすくなり、忌避効果が高くなる。なお、単体の場合と同様、各鳥類忌避体の外観が目玉様であるので、視覚的に鳥類を威嚇することもできる。
【００１９】
続いて、上記鳥類忌避装置の各構成部材の詳細について説明する。鳥類忌避体１１の構成は上述した通りである。線条１２については、上例ではナイロンテグスを用いているが、これに限定するものではない。上記鳥類忌避体１１を連結して架設できるものであれば、鋼線、ピアノ線等でもよい。ただし、屋外に設置されるので、耐久性に優れ、サビ等の生じないものが望ましい。
【００２０】
図３は、支柱１３の一つの実施形態を示すものである。支柱１３は、例えば所定長さ（１２センチ程度）のステンレス棒材１５の上端１５ａ、下端１５ｂにネジ溝を刻設したものである。下端１５ｂは下述する固定板１４の支持孔１４ｄにネジ止めで固定する。上端１５ａには直径方向に縦溝１５ｃを設け、上記線条１２が陥入するようにしている。そして、上端１５ａから止めナット１６を螺着して棒材１５と止めナット１６で線条１２を挟定するようにする。このような固定手段であれば、線条１２に傷を付けることがなく、不用意に線条１２が切断することがない。なお、止めナットとしては、図示するような、蝶ナットや丸頭ナットなどを用いて線条を確実に固定できるようにする。
【００２１】
図４は、固定板１４の一つの実施形態を示すものである。図において、（ａ）は平面図、（ｂ）は断面図、（ｃ）は側面図、（ｄ）は斜視図である。この固定板１４は、例えばアルミ板等からなり、断面Ω状で、所定の間隔をおいて並行する２枚の平面板１４ａ、１４ａの間に一段高く支持板１４ｂを跨設したものである。各平面板１４ａの中央には皿孔１４ｃ、１４ｃが穿設されている。また、支持板１４ｂの中央には内側にネジ溝を刻設した支持孔１４ｄが穿設され、前記支柱１３の下端１５ｂのネジ溝が螺合して、支柱１３を支持するようになっている。さらに、支持板１４ｂの側面には支持板を横方向に貫通して挿通孔１４ｅが設けられている。なお、上記皿孔１４ｃは、各平面板に一つ宛設けることに限定されず、複数個宛設けることもある。
【００２２】
次に、上記固定板１４の固定方法について説明する。この固定板１４によれば、設置場所がどのような材質、形状であっても固定可能である。即ち、材質としては、木材、樹脂、金属、コンクリート、タイルなどに固定できる。また、形状としては、平面のほか、ベランダの手摺りなどのように、角棒状や丸棒状の棒体に対しても固定できる。
【００２３】
具体的には、平面（Ｈ）に固定する場合、例えば図５（ａ）のように上記平面板１４ａの下面に平面（Ｈ）の材質に応じた接着剤１７を塗布し、平面（Ｈ）に貼り付けて固定する。この場合、接着剤１７を過分に塗布すれば、上記皿孔１４ｃから接着剤１７が漏出して固化することで、より強固に固定できる。また、平面が木材やコンクリートの場合には、図５（ｂ）のように上記皿孔１４ｃを利用し、材質に応じて、木ネジ１８や平ネジを用いて平面（Ｈ）に固定することもできる。さらに、接着剤とネジを併用すれば、固定板１４をより強固に固定することが可能である。
【００２４】
一方、角棒や丸棒等の棒体に固定する場合は、ナイロンやステンレス等各種素材からなる紐類や公知の結束バンド（例えば「ユニックバンド」、「インシュロックタイ」（商品名））、ホースクランプ等を利用する。例えば図５（ｃ）はＳＵＳバンドをラチェットギヤ等で巻き上げる方式の結束バンド１９によってパイプ（Ｐ）に固定する例を示しているが、このとき、結束バンド１９は上記支持板１４ｂに貫通して設けた挿通孔１４ｅに挿通させたうえでパイプ（Ｐ）に巻き付けてラチェットギア部１９ａで締め付け固定すれば、固定板１４は確実に固定できる。
【００２５】
また、ステンレススチールバンドをスクリューネジで締め付けるようにしたホースクランプ状の固定具を利用してもよい。そのほか、固定板１４を、パイプ類に取り付け可能な公知のサドル金具や、クリップ状の支持金具である「パイラック」（商品名）などに適宜な手段で取り付け、それを所望箇所に取り付けるようにして上記鳥類忌避体１１を架設するようにすることも可能である。
【図面の簡単な説明】
【００２６】
【図１】本考案に係る鳥類忌避体の一つの実施形態を示し、（ａ）は断面図、（ｂ）は平面図、（ｃ）は斜視図である。
【図２】本考案に係る鳥類忌避装置の一部の分解斜視図である。
【図３】支柱の一つの実施形態である。
【図４】固定板の一つの実施形態で、（ａ）は平面図、（ｂ）は断面図、（ｃ）は側面図、（ｄ）は斜視図である。
【図５】固定板の固定方法の一例を示すもので、（ａ）は接着剤によるもの、（ｂ）は木ネジによるもの、（ｃ）は結束バンドによるものである。
【符号の説明】
【００２７】
１    半球体
１ａ  切断面
１ｂ  頭頂部
２    鋼球
２ａ  上端部
３    樹脂被膜
１１    鳥類忌避体
１２    線条
１３    支柱
１４    固定板
１４ａ  平面板
１４ｂ  支持板
１４ｃ  皿孔
１４ｄ  支持孔
１４ｅ  挿通孔
１５    棒材
１５ａ  上端
１５ｂ  下端
１５ｃ  縦溝
１６    止めナット
１７    接着剤
１８    木ネジ
１９    結束バンド
【図１】
0003122340.tif 000003
【図２】
0003122340.tif 000004
【図３】
0003122340.tif 000005
【図４】
0003122340.tif 000006
【図５】
0003122340.tif 000007